(57)【要約】【課題】  従来は、複数のユーザが使用するハードディスクに記録された情報の再生を、前回停止した位置から開始することがユーザ毎にできない。【解決手段】  ユーザＡは初めにユーザ設定としてハードディスクレコーダ１０に、ユーザ名とパスワードを入力する。ユーザ設定後、ユーザＡはプログラム＃１を先頭位置から再生を開始し、再生を中断したものとすると、情報管理部１１は、再生中断した時刻をユーザＡのリジュームポイントとし、プログラム＃１のプログラム情報としてプログラム情報記憶部１１３に記憶し管理する。次回、ユーザＡがこのプログラム＃１の再生動作を行うと、情報管理部１１がプログラム情報記憶部１１３の記憶プログラム情報に基づき、プログラム＃１のユーザＡのリジュームポイントを確認し、前回再生中断した時刻に対応した位置からＨＤＤ１２の再生を開始する。他のユーザＢ、Ｃも同様にできる。【選択図】            図１
2005100618.tif 000002
【特許請求の範囲】
【請求項１】
媒体固有の識別情報である媒体識別情報が予め記録された記憶媒体に記録されている情報を、その情報における過去に再生を停止した停止位置を示す停止位置情報に基づき、新たに前記停止位置から再生する情報再生装置において、
前記記憶媒体に記録されている情報の再生を停止した停止位置を示す前記停止位置情報を、その再生を停止した利用者を識別するための利用者識別情報、及び前記記憶媒体を識別するための前記媒体識別情報と関係付けて他の記憶媒体に記憶させる記憶手段と、
前記記憶媒体に記録されている情報の再生開始要求時に、再生を開始しようとする利用者から入力される前記利用者識別情報と、前記他の記憶媒体に記憶されている前記利用者識別情報とに基づき、前記再生を開始しようとする利用者が、前記他の記憶媒体に記憶されている前記利用者識別情報に該当する利用者に一致するか否かを比較すると共に、前記記憶媒体に予め記録されている前記媒体識別情報と、前記他の記憶媒体に記憶されている前記媒体識別情報とが一致するか否かを比較し、前記利用者が一致すると共に前記媒体識別情報が一致する場合には、その一致した利用者の前記利用者識別情報及びその一致した前記媒体識別情報と関係付けて前記他の記憶媒体に記憶されている前記停止位置情報に基づき、その停止位置情報の示す停止位置から新たに前記情報の再生を開始させる管理手段と、
を有することを特徴とする情報再生装置。
【発明の詳細な説明】
【技術分野】
【０００１】
本発明は情報再生装置に係り、特に情報再生を停止した位置を記憶し、次回の再生時に前回の停止位置から再生を行う情報再生装置に関する。
【背景技術】
【０００２】
現在、コンパクトディスク（ＣＤ）やミニディスク（ＭＤ）から記録情報信号を再生するＣＤプレーヤやＭＤプレーヤ、またＤＶＤ（Digital Versatile Disc）の記録情報を再生するＤＶＤプレーヤでは、一つの曲や番組の途中で再生を中断したときに、その中断位置の記録アドレスを記憶しておき、ＣＤ、ＭＤあるいはＤＶＤをプレーヤから取り出し、その後にプレーヤに装填しても再生を中断した位置から開始することが可能なリジューム機能を有しているプレーヤが知られている（例えば、特開２０００−３３１４６６号公報）。
【０００３】
また、光磁気ディスク（ＭＯ）やＤＶＤ−ＲＡＭなどのような、記録再生可能な記録媒体の記録再生装置（プレーヤ）では、再生を中断した位置のアドレス等を瞬時にその記録媒体の制御エリア等にリジュームポイントとして書き込み、その後にその記録媒体をプレーヤに再び装填して中断した位置から再生する際には、リジュームポイントを検出することで再生開始することが可能であるリジューム機能を備えた情報再生装置が従来より知られている（特開平１１−１４６３２７号公報）。この従来のリジューム機能付き情報再生装置では、複数のリジュームポイントを設定することが可能である。
【発明の開示】
【発明が解決しようとする課題】
【０００４】
ところで、近年、商品化が進められているハードディスクを記録媒体とした、ハードディスクレコーダは、ポータブルＣＤプレーヤやＤＶＤプレーヤのように、使用するユーザが一人であるか、若しくは複数であってもユーザ毎に好みのディスクを交換し、映像や音声を再生して楽しむ形態と異なり、同一のハードディスクに対して複数のユーザが、複数の映像や音声番組を記録し、再生して楽しむことが想定される。
【０００５】
しかるに、従来のリジューム機能付き情報再生装置では、複数のユーザのそれぞれに異なるリジュームポイントを設定することができないため、従来のリジューム機能付き情報再生装置をハードディスクレコーダに適用することができない。
【０００６】
本発明は以上の点に鑑みなされたもので、複数のユーザ（利用者）に対してユーザを識別し、各ユーザー毎に過去の停止位置に基づく再生開始位置を設定することが可能な情報再生装置を提供することを目的とする。
【課題を解決するための手段】
【０００７】
本発明は上記の目的を達成するため、下記の情報再生装置を提供するものである。
媒体固有の識別情報である媒体識別情報が予め記録された記憶媒体に記録されている情報を、その情報における過去に再生を停止した停止位置を示す停止位置情報に基づき、新たに前記停止位置から再生する情報再生装置において、
前記記憶媒体に記録されている情報の再生を停止した停止位置を示す前記停止位置情報を、その再生を停止した利用者を識別するための利用者識別情報、及び前記記憶媒体を識別するための前記媒体識別情報と関係付けて他の記憶媒体に記憶させる記憶手段と、
前記記憶媒体に記録されている情報の再生開始要求時に、再生を開始しようとする利用者から入力される前記利用者識別情報と、前記他の記憶媒体に記憶されている前記利用者識別情報とに基づき、前記再生を開始しようとする利用者が、前記他の記憶媒体に記憶されている前記利用者識別情報に該当する利用者に一致するか否かを比較すると共に、前記記憶媒体に予め記録されている前記媒体識別情報と、前記他の記憶媒体に記憶されている前記媒体識別情報とが一致するか否かを比較し、前記利用者が一致すると共に前記媒体識別情報が一致する場合には、その一致した利用者の前記利用者識別情報及びその一致した前記媒体識別情報と関係付けて前記他の記憶媒体に記憶されている前記停止位置情報に基づき、その停止位置情報の示す停止位置から新たに前記情報の再生を開始させる管理手段と、
を有することを特徴とする情報再生装置。
【０００８】
この発明では、同じ記憶媒体に対して複数の利用者が再生動作を行う環境にあり、しかも、記憶媒体が可交換性の記憶媒体であり、装置から一旦取り外され、その後に再生のために装置に装填されたとしても、媒体固有の媒体識別情報と利用者識別情報とに基づき、記憶媒体及び利用者毎に情報再生の停止位置情報を記憶し、記憶媒体及び利用者毎に停止位置情報に基づき前回の停止位置から次回の再生ができる。
【発明の効果】
【０００９】
以上説明したように、本発明によれば、記憶媒体が可交換性の記憶媒体であっても、媒体固有の媒体識別情報と利用者識別情報とに基づき、記憶媒体及び利用者毎に情報再生の停止位置情報を記憶し、記憶媒体及び利用者毎に停止位置情報に基づき前回の停止位置から次回の再生ができるようにしたため、他の利用者が同じ記憶媒体の同じ情報を再生したとしても、媒体及び利用者毎に前回の停止位置から再生を開始することができる。
【００１０】
また、実施例説明のように、記憶媒体に記録されている情報のうち、停止位置情報が記憶されている情報については、再生し終わっていない利用者がいると判断して、他の利用者による消去又は変更操作時にその旨報知するようにすれば、情報を再生し終わった利用者がその情報を消去又は変更することを防止することができる。
【発明を実施するための最良の形態】
【００１１】
次に、本発明の実施の形態について図面と共に説明する。図１は本発明になる情報再生装置の一実施の形態の構成図を示す。同図において、ハードディスクレコーダ１０は、リジューム機能付き情報再生装置の一実施の形態で、情報管理部１１とハードディスクドライブ（ＨＤＤ）１２とを含んでおり、ＨＤＤ１２に衛星放送などから受信した映像及び音声のプログラムをＭＰＥＧ２符号化データとして記録し、これを再生する。
【００１２】
また、ハードディスクレコーダ１０内の情報管理部１１は、ユーザに関する情報と、記録したプログラムに関する情報とを併せてＨＤＤ１２に記録し管理する。この情報管理部１１で管理される情報は、ＨＤＤ１２上に記憶されているプログラムと異なる領域に記憶してもよいし、不揮発性メモリを使用して、外部に記憶領域を設定して記憶してもよい。
【００１３】
情報管理部１１で管理される情報は、システムルート部１１１の下にユーザ情報記憶部１１２とプログラム情報記憶部１１３とに分けて管理される。システムルート部１１１には、ＨＤＤ１２の容量情報やＨＤＤ１２の最終更新情報などが記憶され管理される。また、ユーザ情報記憶部１１２は、ユーザを管理するためのユーザ情報の記憶部で、総ユーザ数と、各ユーザを識別するためのユーザ名と、各ユーザ毎のパスワードとを記憶し、管理のために使用させる。更に、各ユーザ毎の情報として、ユーザの番組（プログラム）の嗜好に関する情報や、パレンタル制御のための年齢情報が設定される。
【００１４】
また、プログラム情報記憶部１１３は、プログラムを管理するためのプログラム情報の記憶部で、記録された総プログラム数（総番組数）、ＨＤＤ１２の使用／空き容量情報、各プログラム毎の情報が設定される。各プログラム毎の情報としては、各ユーザの再生が中止されたＨＤＤ１２上の位置を示すリジュームポイントを含むリジューム情報と、プログラム時間情報とがあり、プログラム情報記憶部１１３はこれらを記憶し、管理のために使用させる。
【００１５】
このハードディスクレコーダ１０は、例えば図２に示すように、コード２１を介してモニタ用テレビジョン受像機（ＴＶ）２２に接続され、またリモコン２３からのリモコン信号を受光部１３で受光して処理し、リモコン信号に基づく動作を行うようにされている。なお、図１にはリモコン信号に基づく制御部の図示は一般的であるので省略してある。
【００１６】
次に、ハードディスクレコーダ１０を図１に示すユーザＡ、ユーザＢ及びユーザＣの３人で利用する場合について説明する。ユーザＡがハードディスクレコーダ１０を初めて操作する場合、まず、ユーザ名の登録を行う。この登録に際しては、ハードディスクレコーダ１０に接続された図２に示したテレビ受像機２２を利用して、ユーザ登録画面ＧＵＩ（グラフィカルユーザインターフェイス）が表示され、その表示画面に従いユーザＡがリモコン２３を使って入力する。
【００１７】
ハードディスクレコーダ１０は図２に示した受光部１３で受信した入力リモコン信号に基づき、ユーザＡのユーザ名を情報管理部１１がユーザ情報記憶部１１２に格納する。このとき、パスワードを入力し、他のユーザの不正利用を防止するようにしてもよい。
【００１８】
また、情報管理部１１は既にユーザ情報記憶部１１２に登録してあるユーザ名と入力されたユーザ名とを比較し、既に登録してあるユーザ名と同じユーザ名が入力された場合には、再度、異なるユーザ名で入力をし直すようにユーザに促す表示を行わせるようにしてもよい。入力されたユーザ名は、ユーザ情報記憶部１１２に記憶される。ユーザＢ及びユーザＣについても、初めてハードディスクレコーダ１０を操作する場合は、上記と同様のユーザ登録を行う。
【００１９】
次に、複数のユーザＡ、Ｂ及びＣによるハードディスクレコーダ１０のリジューム再生機能について説明する。いま、ＨＤＤ１２に図３（Ａ）に模式的に示すようにプログラム＃１が記憶されているものとする。このプログラム＃１は記録再生時間Ｔ分のスポーツ番組である。プログラム＃１記録後、まず、ユーザＡがプログラム＃１を再生し視聴する。ユーザＡは初めにユーザ設定としてハードディスクレコーダ１０に、ユーザ名とパスワードを入力する。この入力には前述したユーザ登録時と同様に、ＴＶ２２にＧＵＩ表示し、リモコン２３を用いて行うとよい。
【００２０】
ユーザ設定後、ユーザＡはプログラム＃１を先頭位置（ｔ＝０）から再生を開始し、図３（Ｂ）に模式的に示すように時間ｔＡ（＝Ｔ／２）分視聴した時点で再生を中断した（情報再生を停止した）ものとする。すると、情報管理部１１は、再生中断した時刻ｔＡ＝Ｔ／２を、ユーザＡのリジュームポイントとし、プログラム＃１のプログラム情報としてプログラム情報記憶部１１３に記憶し管理する。ここで、プログラムの再生経過時間やリジュームポイントには、ＭＰＥＧ２符号化のＧＯＰ層のタイムコードを利用するとよい。
【００２１】
次回、ユーザＡがこのプログラム＃１の再生動作を行うと、情報管理部１１がプログラム情報記憶部１１３の記憶プログラム情報に基づき、プログラム＃１のユーザＡのリジュームポイントを確認し、前回再生中断した時刻ｔＡに対応した位置のＧＯＰからＨＤＤ１２の再生を開始する。このとき、ユーザＡにリジュームポイントから再生するかどうかを確認してから、再生を行うようにしてもよい。このようにして、ユーザＡは前回再生中断した位置からプログラム＃１の視聴を開始することができる。
【００２２】
次に、ユーザＢがユーザＡと同様のユーザ設定を行い、プログラム＃１を先頭位置（ｔ＝０）から再生を開始し、図３（Ｃ）に模式的に示すように時間ｔＢ（＝Ｔ／３）分視聴した時点で再生を中断したものとする。すると、情報管理部１１は、再生中断した時刻ｔＢ＝Ｔ／３を、ユーザＢのリジュームポイントとし、プログラム＃１のプログラム情報としてプログラム情報記憶部１１３に記憶し管理する。
【００２３】
更に、ユーザＣがユーザＡ、Ｂと同様のユーザ設定を行い、プログラム＃１を先頭位置（ｔ＝０）から再生を開始し、図３（Ｄ）に模式的に示すようにプログラムの終了位置ｔ＝Ｔまで視聴したものとする。ユーザＣがプログラム＃１を最後まで視聴したので、プログラム＃１をＨＤＤ１２から消去しようとした場合、情報管理部１１はプログラム情報記憶部１１３にリジュームポイントが記憶されているかどうかまず確認し、リジュームポイントが記憶されている場合には、警告メッセージをＴＶ２２に表示し、リジュームポイントが記憶されていない場合に限りそのプログラム＃１の消去を行う。
【００２４】
ここでは、ｔＡ、ｔＢ＜Ｔであるリジュームポイントがプログラム情報記憶部１１３に記憶されているので、情報管理部１１はユーザＣに対し、ユーザＡとユーザＢがプログラム＃１を最後まで視聴していないことを警告するメッセージをＴＶ２２に表示する。
【００２５】
なお、上記の警告のメッセージに代えて、あるいはメッセージの表示と共に、警告ランプの点滅や警告音等の手段を用いてもよい。また、リジュームポイントが記憶されているときには、ＨＤＤ１２の消去動作を強制的に禁止することで、ユーザＣの誤消去を防止するようにしてもよい。
【００２６】
なお、上記の実施の形態では主記録媒体としてハードディスクを用いるように説明したが、本発明はこれに限定されるものではなく、例えば半導体メモリ、光ディスク等の他の大容量記憶媒体を用いることもできる。ただし、上記の実施の形態では、主記録媒体を内蔵型の取替え不可能なハードディスクで説明したが、他の記録媒体として可交換性の記録媒体を用いた場合は、予めその記録媒体固有のＩＤを書き換え不可能な領域に記録しておき、再生を停止すると、その記録媒体上での停止位置情報（リジュームポイント）を媒体識別用ＩＤと関係付けて情報管理部内に記憶しておき、次回の再生時に記録媒体から再生した媒体識別用ＩＤと、情報管理部内に記憶されている媒体識別用ＩＤとを比較して、一致すれば対応する停止位置情報に基づき前回の停止位置から情報再生を開始させる手段などが必要となる。
【００２７】
また、大容量記憶媒体（主記憶媒体）に複数のプログラムが記録されている場合は、リジュームポイント（再生停止情報）が情報管理部に記憶されているかどうか消去前に確認し、リジュームポイントが記憶されているプログラムのときには、消去禁止の警報メッセージの表示等を行う動作を各プログラム別に行うようにすることは勿論である。また、消去動作のみならず、編集動作などの記録情報に変更を加える動作もリジュームポイントが記録されているプログラムについては禁止するように表示等することは勿論である。
【図面の簡単な説明】
【００２８】
【図１】本発明の一実施の形態の構成図である。
【図２】本発明装置と周辺機器との接続の一例を示す図である。
【図３】図１の動作説明図である。
【符号の説明】
【００２９】
１０  ハードディスクレコーダ
１１  情報管理部
１２  ＨＤＤ（ハードディスクドライブ）
１３  受光部
２２  テレビジョン受像機（ＴＶ）
２３  リモコン
１１１  システムルート部
１１２  ユーザ情報記憶部
１１３  プログラム情報記憶部
【図１】
2005100618.tif 000003
【図２】
2005100618.tif 000004
【図３】
2005100618.tif 000005